(57)【要約】  【課題】  必要に応じて取付け取り外しが可能であって、回転操作することなくして圧力容器を他の圧力容器と連結可能な容器の連結構造を提供する。  【解決手段】  圧力容器の缶胴端部を突き合わせ、一方の缶胴端部に固定するインナーソケット部材２２が環状体の外周面に凹溝２８と圧接面２９とを有してなるとともに、他方の缶胴端部に固定するアウターソケット部材３０が環状体の内周面に前記凹溝と合致する凹溝３１と前記圧接面２９に圧接するシールリング３２を有してなり、かつ、前記アウターソケット部材３０をインナーソケット部材２２に嵌合して対面する前記凹溝２８，３１内に円環状のリングからなるロック部材３４を拡径及び縮径可能に嵌合した。  【選択図】  図３
2006070930.tif 000002
【特許請求の範囲】
【請求項１】
缶胴端部を突き合わせ、一方の缶胴端部に固定するインナーソケット部材が環状体の外周面に凹溝を有してなるとともに、他方の缶胴端部に固定するアウターソケット部材が環状体の内周面に前記凹溝と合致する凹溝を有してなり、かつ、前記アウターソケット部材をインナーソケット部材に嵌合して対面する前記凹溝内に円環状のリングからなるロック部材を拡径及び縮径可能に嵌合してなることを特徴とする容器の連結構造。
【請求項２】
圧力容器の缶胴端部を突き合わせ、一方の缶胴端部に固定するインナーソケット部材が環状体の外周面に凹溝と圧接面とを有してなるとともに、他方の缶胴端部に固定するアウターソケット部材が環状体の内周面に前記凹溝と合致する凹溝と前記圧接面に圧接するシールリングを有してなり、かつ、前記アウターソケット部材をインナーソケット部材に嵌合して対面する前記凹溝内に円環状のリングからなるロック部材を拡径及び縮径可能に嵌合してなることを特徴とする圧力容器の連結構造。
【請求項３】
前記ロック部材は、前記凹溝内に嵌合する円環状のリングの一部を切断してその両端部に耳部を固着し、それらの耳部の一方には右ねじ孔を、他方には左ねじ孔をそれぞれ穿設したカラーを結合し、これらのねじ孔にはねじ棒を挿通し、そのねじ棒の一端部には回転用ハンドル又はアクチュエータを設けてなることを特徴とする請求項１又は２に記載の容器の連結構造。
【請求項４】
前記アウターソケット部材が他の連結構造の最外側に形成した前記インナーソケット部材に相当する構成を備えた同一構造体に取り外し可能に装着されていることを特徴とする請求項１〜３のいずれかに記載の容器の連結構造。
【発明の詳細な説明】
【技術分野】
【０００１】
この発明は、人の治療に用いる圧力容器の缶胴の連結構造、とりわけ、二つの缶胴端部を突き合わせて密閉かつ脱着可能に連結する構造に関するものである。
【背景技術】
【０００２】
人の治療や食品加工に用いる圧力容器は、下記特許文献１〜６に示すように、従来より出願人も数多く提供してきたところであるが、圧力容器を形成する缶胴の蓋は密閉かつ開閉可能にするため、缶胴端部の外周縁と蓋の内周縁にそれぞれ所定ピッチ間隔の突起部を円周方向へ形成し、蓋を１／２ピッチ分回動させることで突起部同士が重なり合うか、若しくは位置ずれすることで開閉できるようにし、また、蓋を閉じた場合の缶胴の密閉は、互いに接触する蓋と缶胴端部の両方又は一方にシールリングを設けている。
【特許文献１】特許第２９４２７５６号
【特許文献２】特許第２８０７４０８号
【特許文献３】特許第２６７５５２２号
【特許文献４】特許第２５２１５８４号
【特許文献５】特許第１９１３７９３号
【特許文献６】特許第１８１８９０６号
【発明の開示】
【発明が解決しようとする課題】
【０００３】
ところで、近時、治療目的で圧力容器内に人を収容することがあり、しかも、その圧力容器を主たる治療現場に移送するような方式があり、この場合に、人を収容した第１の圧力容器は主たる治療現場の第２若しくは第３の圧力容器に突き合わせてドッキングすることがある。このドッキングは、両方の圧力容器に設けたドッキングソケットを互いに係合させるものであるが、その場合に、前記缶胴と蓋の突起部が互いに位相ずれを生じることで連結又は脱離する従来方式を採用すると、少なくとも第１の圧力容器全体を軸心線を中心として回転させなければならない、という問題がある。
【０００４】
そこで、この発明は必要に応じて取付け取り外しが可能であって、回転操作することなくして圧力容器を他の圧力容器とドッキング可能な容器の連結構造を提供する。
【課題を解決するための手段】
【０００５】
本発明は、請求項１によれば、缶胴端部を突き合わせ、一方の缶胴端部に固定するインナーソケット部材が環状体の外周面に凹溝を有してなるとともに、他方の缶胴端部に固定するアウターソケット部材が環状体の内周面に前記凹溝と合致する凹溝を有してなり、かつ、前記アウターソケット部材をインナーソケット部材に嵌合して対面する前記凹溝内に円環状のリングからなるロック部材を拡径及び縮径可能に嵌合してなることを特徴とする容器の連結構造とした。
【０００６】
また、請求項２によれば、圧力容器の缶胴端部を突き合わせ、一方の缶胴端部に固定するインナーソケット部材が環状体の外周面に凹溝と圧接面とを有してなるとともに、他方の缶胴端部に固定するアウターソケット部材が環状体の内周面に前記凹溝と合致する凹溝と前記圧接面に圧接するシールリングを有してなり、かつ、前記アウターソケット部材をインナーソケット部材に嵌合して対面する前記凹溝内に円環状のリングからなるロック部材を拡径及び縮径可能に嵌合してなることを特徴とする圧力容器の連結構造とした。
【０００７】
更に、請求項３によれば、前記ロック部材は、前記凹溝内に嵌合する円環状のリングの一部を切断してその両端部に耳部を固着し、それらの耳部の一方には右ねじ孔を、他方には左ねじ孔をそれぞれ穿設したカラーを結合し、それらのねじ孔にはねじ棒を挿通し、そのねじ棒の一端部には回転用ハンドル又はアクチュエータを設けてなることを特徴とする請求項１又は２に記載の容器の連結構造とした。
【０００８】
そして、請求項４によれば、前記アウターソケット部材が他の連結構造の最外側に形成した前記インナーソケット部材に相当する構成を備えた同一構造体に取り外し可能に装着されていることを特徴とする請求項１〜３のいずれかに記載の容器の連結構造としたものである。
【発明の効果】
【０００９】
本発明によれば、缶胴を回転させることなく静置した状態で、ロック部材を拡径操作して缶胴の半径方向へ移動させることにより、ロック部材がインナーソケット部材及びアウターソケット部材の対面する凹溝内の境界からアウターソケット部材側に位置して連結のロックを解除するとともに、ロック部材を縮径操作してインナーソケット部材及びアウターソケット部材の対面する凹溝内の境界内に引き込むことにより、複数の缶胴の連結ロックができるため、缶胴を回転させる特別の機器を要しない軽便性と簡易性及び経済性を有する。そして、この連結構造は必要に応じて取り付け取り外しができるという利便性がある、という効果が得られる。
【発明を実施するための最良の形態】
【００１０】
本発明の缶胴の連結構造は、一方の缶胴端部に固定するインナーソケット部材と、他方の缶胴端部に固定するアウターソケット部材とを備え、これらがロック部材を介し脱着可能に内外で嵌合して構成される。
【実施例１】
【００１１】
図１は、本発明の一実施例を示す正面図で、図において、１は被治療者を収容して加圧又は減圧する第１の圧力容器を表し、２はこの圧力容器１がドッキングして接続され、内部に治療者等を収容する第２の圧力容器を表す。第１の圧力容器１は下部に車輪３を有して移動可能に構成されている。第２の圧力容器２は固定型であるが、下部に車輪取付けて移動可能に構成することも可能である。また、第１の圧力容器１は二つの缶胴４，５から構成され、頭部側の缶胴４に設けた連結部材６（図１中Ａ部参照）を介して第２の圧力容器２と連結されている。この缶胴４と連結部材７を介して連結した足部側の缶胴５には、連結部材７に一体化して設けた連結部材８を介して第３の圧力容器９が連結されることがある。
【００１２】
連結部材６は、図２に示すように、缶胴４の端部に固定するインナーソケット部材１０が環状体の外周面に凹溝１１と圧接面１２を有してなり、圧力容器２の缶胴端部に固定するアウターソケット部材１３が環状体の内周面に凹溝１１と合致する凹溝１４と圧接面１２に圧接するシールリング１５を有してなる。そして、アウターソケット部材１３をインナーソケット部材１０に嵌合して対面する凹溝１１，１４内に円環状のリングからなるロック部材１６を拡径及び縮径可能に嵌合してなる。なお、インナーソケット部材１０の内周面には前記従来例と同様の突起部１７が所定ピッチ間隔で形成され、また、この突起部１７と同じ突起部部１８が蓋体１９に所定ピッチ間隔で形成されている。蓋体１９の外周縁とインナーソケット部材１０との圧接面にはシールリング２０を埋め込んだ凹溝２１が形成されている。
【００１３】
連結部材７は、図３に示すように、缶胴４の端部に固定するインナーソケット部材２２が環状体の内周面に前記従来例と同様の突起部２３を所定ピッチ間隔で形成するとともに、圧接面２４を形成する一方、缶胴５の端部に固定するソケット部材２６は前記突起部２３と係脱する突起部２７と圧接面２４に接するシールリング２５を有してなる。
【００１４】
連結部材８は、図３に示すように、缶胴４の端部に固定するインナーソケット部材２２が環状体の外周面に凹溝２８と圧接面２９を有してなり、再圧治療タンク９に接続する缶胴端部に固定するアウターソケット部材３０が環状体の内周面に凹溝２８と合致する凹溝３１と圧接面２９に圧接するシールリング３２を埋め込んだ凹溝３３を有してなる。そして、アウターソケット部材３０をインナーソケット部材２２に嵌合して対面する凹溝２８，３１内に円環状のリングからなるロック部材３４を拡径及び縮径可能に嵌合してなる。なお、アウターソケット部材３０の外周面には前記従来例と同様の突起部３５が所定ピッチ間隔で円周方向に形成されている。
【００１５】
前記ロック部材１６，３４は、図４に示すように、円環状の金属リングであって、前記凹溝１１，１４，２８，３１に嵌合する円環状のリングの一部を切断してその両端部に耳部４０，４０を固着してなる。そして、図５〜７に示すように、これらの耳部４０，４０を凹溝１４，３１を半径方向へ開いた開口部４９に臨ませ、その開口部４９内でそれらの耳部４０，４０にそれぞれピン４５，４５でブラケット４８，４８を連結し、ブラケット４５，４５に右ねじ孔４１と左ねじ孔４２をそれぞれ穿設したカラー４３，４４を収容してある。そして、ねじ孔４１，４２にはねじ棒４６を挿通し、そのねじ棒４６の一端部には回転用ハンドル４７又はアクチュエータを設けてロック部材の操作部を構成するが、この操作部は他のものに代えてもよい。
【００１６】
したがって、ハンドル４７を正回転操作すると、カラー４３，４４の間隔が大きくなり、ロック部材１６，３４が拡径してロック部材はアウターソケット部材１３，３０の凹溝１１，１４又は凹溝２８，３１の境界に位置し、これにより、前記インナーソケット部材１０，２２とアウターソケット部材１３，３０のロックをする。この逆にハンドル４７を逆回転すると、カラー４３，４４の間隔が狭くなり、ロック部材１６，３４が縮径してロック部材はアウターソケット部材１３，３０とインナーソケット部材１０，２２の凹溝１４又は凹溝３１に移動してロックを解除するようにしている。
【００１７】
かくして、第１の圧力容器１を第２又は第３の圧力容器２，９に接続すべきときは、第１の圧力容器１を軸中心で回転させる必要がないので軽便である。また、アウターソケット部材３０はインナーソケット部材２２から取り外すことが、前記のようにして容易にできるから、普段の場合には取り外しておいて第３の圧力容器９が必要なときに応じて装着できる利便性がある。
【図面の簡単な説明】
【００１８】
【図１】本発明の一実施例を示す半断面正面図である。
【図２】図１中Ａ部の拡大断面図である。
【図３】図１中Ｂ部の拡大断面図である。
【図４】本発明にかかるロック部材の正面図である。
【図５】ロック部材の操作部を示す正面図である。
【図６】ロック部材の操作部を示す一部断面側面図である。
【図７】ロック部材の操作部を示す一部断面平面図である。
【符号の説明】
【００１９】
１…第１の圧力容器
２…第２の圧力容器
４，５…缶胴
６，７，８…連結部材
９…第３の圧力容器
１０，２２…インナーソケット部材
１１，１４，２８，３１…凹溝
１２，２９…圧接面
１３，３０…アウターソケット部材
１５，３２…シールリング
１６，３４…ロック部材
４０…耳部
４１…右ねじ孔
４２…左ねじ孔
４３，４４…カラー
４５…ピン
４６…ねじ棒
【図１】
2006070930.tif 000003
【図２】
2006070930.tif 000004
【図３】
2006070930.tif 000005
【図４】
2006070930.tif 000006
【図５】
2006070930.tif 000007
【図６】
2006070930.tif 000008
【図７】
2006070930.tif 000009